(57)【要約】【課題】本発明は、光源モジュールを提供するためのものである。【解決手段】本発明に従う光源モジュールは、キャビティーを有する胴体、上記キャビティーに配置された複数のリードフレーム、上記複数のリードフレームのうち、少なくとも１つの上に配置された発光チップ、上記胴体の上に配置され、上記発光チップから放出された光を屈折させる高分子層、上記高分子層の上に配置され、入射される光を放出する第１電極層、及び上記高分子層と上記胴体との間に配置され、上記発光チップから放出された光が透過される第２電極層を含む。【選択図】図２
2013093583.tif 000002
【特許請求の範囲】
【請求項１】
キャビティーを有する胴体と、
前記キャビティーに配置された複数のリードフレームと、
前記複数のリードフレームのうち、少なくとも１つの上に配置された発光チップと、
前記胴体の上に配置され、前記発光チップから放出された光を屈折させる高分子層と、
前記高分子層の上に配置され、入射される光を放出する第１電極層と、
前記高分子層と前記胴体との間に配置され、前記発光チップから放出された光が透過される第２電極層と、
を備えることを特徴とする、光源モジュール。
【請求項２】
前記高分子層は前記第１電極層と前記第２電極層に供給される電圧の差によって前記第１電極層から入射される光の指向角を変換させることを特徴とする、請求項１に記載の光源モジュール。
【請求項３】
前記高分子層は液晶を含むことを特徴とする、請求項１または２に記載の光源モジュール。
【請求項４】
前記液晶は屈折率異方性を有することを特徴とする、請求項３に記載の光源モジュール。
【請求項５】
前記高分子層の屈折率は０．１５乃至０．２５であることを特徴とする、請求項１乃至４のいずれか１項に記載の光源モジュール。
【請求項６】
前記第１電極層の上に第１ベースフィルム及び前記第２電極層の下に第２ベースフィルムを含むことを特徴とする、請求項１乃至５のいずれか１項に記載の光源モジュール。
【請求項７】
前記第１及び第２ベースフィルムは透光性フィルムであることを特徴とする、請求項６に記載の光源モジュール。
【請求項８】
前記第１及び第２電極層は透光性の金属酸化物または金属窒化物を含むことを特徴とする、請求項１乃至７のいずれか１項に記載の光源モジュール。
【請求項９】
前記キャビティーにモールディング部材を含むことを特徴とする、請求項６に記載の光源モジュール。
【請求項１０】
前記第２ベースフィルムは前記モールディング部材と接触されることを特徴とする、請求項９に記載の光源モジュール。
【請求項１１】
前記高分子層は前記第１及び第２電極層の電圧によって前記発光チップから放出された光を遮断または透過させることを特徴とする、請求項１乃至１０のいずれか１項に記載の光源モジュール。
【請求項１２】
前記第１及び第２電極層は前記胴体の幅より広い幅を有することを特徴とする、請求項１乃至１１のいずれか１項に記載の光源モジュール。
【請求項１３】
前記高分子層は前記第１及び第２電極層に供給される第１駆動電圧と第２駆動電圧との差が前記第１駆動電圧を基準に７０％を超過すれば、入射される光を１３０度以下の光指向角分布で照射することを特徴とする、請求項１乃至１２のいずれか１項に記載の光源モジュール。
【請求項１４】
前記高分子層は前記第１及び第２電極層に供給される第１駆動電圧と第２駆動電圧との差が前記第１駆動電圧を基準に３０％乃至７０％範囲の差が出れば、入射される光を１４０度以上の光指向角分布で照射することを特徴とする、請求項１乃至１３のいずれか１項に記載の光源モジュール。
【請求項１５】
前記発光素子の胴体の上面の周りに前記制御手段が結合された収納溝を含むことを特徴とする、請求項１乃至１４のいずれか１項に記載の光源モジュール。
【発明の詳細な説明】
【技術分野】
【０００１】
本発明は、光源モジュール及びこれを備えた照明装置に関するものである。
【背景技術】
【０００２】
発光素子、例えば発光ダイオード（Light Emitting Device）は電気エネルギーを光に変換する半導体素子の一種であって、既存の蛍光灯、白熱灯に代えて次世代の光源として脚光を浴びている。
【０００３】
発光ダイオードは半導体素子を用いて光を生成するので、タングステンを加熱して光を生成する白熱灯や、または高圧放電を通じて生成された紫外線を蛍光体に衝突させて光を生成する蛍光灯に比べて非常に低い電力を消耗する。
【０００４】
また、発光ダイオードは半導体素子の電位ギャップを用いて光を生成するので、既存の光源に比べて寿命が長く、応答特性が速く、親環境的な特徴を有する。
【０００５】
これによって、既存の光源を発光ダイオードに取り替えるための多い研究が進められており、発光ダイオードは室内外で使われる各種ランプ、液晶表示装置、電光板、街灯などの照明装置の光源として使用が増加している。
【発明の概要】
【発明が解決しようとする課題】
【０００６】
本発明の目的は、新たな構造の光源モジュールを提供することにある。
【０００７】
本発明の他の目的は、発光素子の上に入力電圧によって光学的性質が変換される光学的な制御手段を配置した光源モジュール及びこれを備えた照明装置を提供することにある。
【０００８】
本発明の更に他の目的は、液晶を含む高分子層を発光素子に隣接するように配置して、発光素子の配光分布を調節できる光源モジュール及びこれを備えた照明装置を提供することにある。
【課題を解決するための手段】
【０００９】
本発明に従う光源モジュールは、キャビティー（Cavity）を有する胴体、上記キャビティーに配置された複数のリードフレーム、上記複数のリードフレームのうち、少なくとも１つの上に配置された発光チップ、上記胴体の上に配置され、上記発光チップから放出された光を屈折させる高分子層（polymer layer）、上記高分子層の上に配置され、入射される光を放出する第１電極層、及び上記高分子層と上記胴体との間に配置され、上記発光チップから放出された光が透過される第２電極層を備える。
【００１０】
本発明に従う光源モジュールは、キャビティーを有する胴体、上記キャビティーに配置された複数のリードフレーム、上記複数のリードフレームのうち、少なくとも１つの上に配置された発光チップ、上記キャビティーに配置されたモールディング部材、上記モールディング部材の上に配置され、上記発光チップから放出された光を屈折させる高分子層、上記高分子層の上に配置され、入射される光を放出する第１電極層、及び上記高分子層と上記胴体との間に配置され、上記発光チップから放出された光が透過される第２電極層を備え、上記高分子層は上記第１電極層に供給される第１駆動電圧と上記第２電極層に供給される第２駆動電圧との差によって上記発光チップから放出された光の指向角分布を変換させて出力する。
【００１１】
本発明に従う光源モジュールは、キャビティーを有する胴体、上記キャビティーに配置された複数のリードフレーム、及び上記複数のリードフレームのうち、少なくとも１つの上に配置された発光チップを含む発光素子、上記発光素子の上に配置され、供給電圧の差によって変換される光学的性質により上記モールディング部材から放出された光の指向角を調節する制御手段、及び上記制御手段の上に導光板を備え、上記制御手段は上記胴体の上に配置され、液晶を有する高分子層、上記高分子層の上に配置され、入射される光を放出する第１電極層、及び上記高分子層と上記胴体との間に配置され、上記発光チップから放出された光が透過される第２電極層を含む。
【発明の効果】
【００１２】
本発明によれば、発光素子の上部に上記発光素子から放出された光の指向角を調節できる手段を有する光源モジュールを提供することができる。
【００１３】
本発明によれば、発光素子の光指向角が調節できるので、高仕様のランプを提供することができる。
【００１４】
本発明によれば、光学的制御手段を有する光源モジュール及びこれを備えたライトユニットの信頼性を改善させることができる。
【図面の簡単な説明】
【００１５】
【図１】本発明の第１実施形態に従う光源モジュールの分解斜視図を示す。
【図２】図１の光源モジュールの側断面図である。
【図３】本発明の実施形態に従う光学的制御手段の動作状態を示す図である。
【図４】本発明の実施形態に従う光学的制御手段の動作状態を示す図である。
【図５】本発明の実施形態に従う光学的制御手段の動作状態を示す図である。
【図６】本発明の実施形態に従う光学的制御手段の光出力の例を示す図である。
【図７】図２の光源モジュールの第１変形例を示す図である。
【図８】図２の光源モジュールの第２変形例を示す図である。
【図９】本発明の第２実施形態に従う光源モジュールを示す分解斜視図である。
【図１０】図７の光源モジュールの結合斜視図である。
【図１１】本発明の第３実施形態に従う光源モジュールを示す分解斜視図である。
【図１２】図１１の光源モジュールの結合斜視図である。
【図１３】本発明の第４実施形態に従う光源モジュールの側断面図である。
【図１４】本発明の実施形態に従う光源モジュールを有する表示装置を示す斜視図である。
【図１５】本発明の実施形態に従う光源モジュールを有する照明装置を示す斜視図である。
【図１６】本発明の第４実施形態に従う光学的制御手段を有する表示装置を示す側断面図である。
【発明を実施するための形態】
【００１６】
本発明を説明するに当たって、各基板、フレーム、シート、層、またはパターンなどが、各基板、フレーム、シート、層、またはパターンなどの“上／の上（on）”に、または“下／の下（under）”に形成されることと記載される場合において、“上／の上（on）”と“下／の下（under）”は、“直接（directly）”または“他の構成要素を介して（indirectly）”形成されることを全て含む。また、各構成要素の上または下に対する基準は、図面を基準として説明する。図面において、各構成要素のサイズは説明のために誇張することがあり、実際に適用されるサイズを意味するものではない。
【００１７】
以下、実施形態は添付した図面及び実施形態に対する説明を通じて明白に表れるようになる。図面でサイズは説明の便宜及び明確性のために誇張、省略、または概略的に図示された。また、各構成要素のサイズは実際のサイズを全て反映するものではない。また同一な参照番号は図面の説明を通じて同一な要素を表す。
【００１８】
以下、添付した図面を参照して実施形態に従う光源モジュールを説明する。
【００１９】
図１は本発明の第１実施形態に従う光源モジュールの分解斜視図を示し、図２は図１の光源モジュールの結合側断面図である。
【００２０】
図１及び図２を参照すると、光源モジュール１００は発光素子１、及び上記発光素子１の光出射側に配置されて入力電圧によって光学的性質が変換される光学的制御手段９０を含む。上記光源モジュール１００は少なくとも１つのＬＥＤチップを有する発光素子１を含む発光装置でありうる。
【００２１】
上記光学的制御手段９０は入力される光が屈折する角度を調節する部材であって、上記発光素子１の光出射面に接着されて入射される光の界面損失を減らすことができる。また、上記光学的制御手段９０は、上記発光素子１が有する固有の光指向角及び配光分布を入力電圧によって調節することができる。
【００２２】
上記発光素子１は、凹部６０を有する胴体１０、第１キャビティー２５を有する第１リードフレーム２１、第２キャビティー３５を有する第２リードフレーム３１、連結フレーム４６、発光チップ７１、７２、ワイヤー７３乃至７６、及びモールディング部材８１を含む。上記凹部６０の下部領域には、上記第１キャビティー２５及び第２キャビティー３５が配置される。
【００２３】
上記胴体１０は透光性材質または反射性材質を含むことができる。上記胴体１０は、ポリフタルアミド（ＰＰＡ：Polyphthalamide）のような樹脂材質、シリコン（Ｓｉ）、金属材質、ＰＳＧ（photo sensitive glass）、サファイア（Ａｌ２Ｏ３）、印刷回路基板（ＰＣＢ）のうち、少なくとも１つで形成される。例えば、上記胴体１０はポリフタルアミド（ＰＰＡ：Polyphthalamide）のような樹脂材質、シリコンまたはエポキシのような樹脂材質からなることができる。
【００２４】
他の例として、上記胴体１０は伝導性を有する導体で形成される。胴体１０が電気伝導性を有する材質で形成される場合、胴体１０の表面には絶縁膜（図示せず）がさらに形成され、上記絶縁膜は上記第１リードフレーム２１、上記第２リードフレーム３１、及び上記連結フレーム４６と電気的にショート（short）されることを防止するように構成される。
【００２５】
他の例として、上記胴体１０はセラミック材質で形成され、このようなセラミック材質は放熱効率を改善させることができる。
【００２６】
上記胴体１０の形状は、上面視して、三角形、四角形、多角形、及び円形、曲面を有する形状など、多様な形状を有することができる。上記第１リードフレーム２１及び第２リードフレーム３１は、胴体１０の底に配置されて直下タイプで基板の上に搭載され、上記胴体１０の側面に配置されてエッジタイプで基板の上に搭載され、これに対して限定するものではない。
【００２７】
上記胴体１０は上部が開放された凹部６０を含み、上記凹部６０は底１６と上記底１６の周りに配置された側面を含む。上記凹部６０は上記胴体１０の上面から凹なコップ構造、キャビティー構造、またはリセス構造などの形態に形成され、上記凹部６０を上面視した形状は、円形、楕円形、多角形（例えば、四角形）、隅が曲面である多角形状であり、これに対して限定するものではない。上記凹部６０の側面は、底１６に対して垂直または傾斜することができ、これに対して限定するものではない。
【００２８】
上記第１リードフレーム２１は上記凹部６０の第１領域の下に配置され、上記凹部６０の底１６に一部２２が露出される。上記第１リードフレーム２１は、上記凹部６０の底１６より低い深さを有するように凹な第１キャビティー２５が配置される。上記第１キャビティー２５は、上記凹部６０の底１６から上記胴体１０の下面方向に凹な形状、例えば、コップ（Cup）構造またはリセス（recess）形状を含む。
【００２９】
上記第１キャビティー２５の側面及び底は上記第１リードフレーム２１により形成され、上記第１キャビティー２５の周りの側面は上記第１キャビティー２５の底から傾斜または垂直するように折り曲げられる。上記第１キャビティー２５の側面のうち、対向する２側面は同一な角度に傾斜したり、互いに異なる角度に傾斜することができる。
【００３０】
上記第２リードフレーム３１は上記凹部６０の第１領域と離隔する第２領域の下に配置され、上記凹部６０の底１６に一部３２が露出される。上記第２リードフレーム３１は、上記凹部６０の底１６より低い深さを有するように凹な第２キャビティー３５が形成される。上記第２キャビティー３５は、上記第２リードフレーム３１の上面から上記胴体１０の下面方向に凹な形状、例えば、コップ（Cup）構造またはリセス（recess）形状を含む。上記第２キャビティー３５の底及び側面は上記第２リードフレーム３１により形成され、上記第２キャビティー３５の側面は上記第２キャビティー３５の底から傾斜または垂直するように折り曲げられる。上記第２キャビティー３５の側面のうち、対向する２側面は同一な角度に傾斜したり、互いに異なる角度に傾斜することができる。
【００３１】
上記第１キャビティー２５と上記第２キャビティー３５は、上面視して同一な形状に形成され、これに対して限定するものではない。
【００３２】
上記第１リードフレーム２１及び上記第２リードフレーム３１の下部は上記胴体１０の下部に露出され、上記胴体１０の下面と同一平面または他の平面上に配置される。
【００３３】
図２のように、上記第１リードフレーム２１は第１リード部２３を含み、上記第１リード部２３は上記胴体１０の下部に配置され、上記胴体１０の第１側面部に突出できる。上記第２リードフレーム３１は第２リード部３３を含み、上記第２リード部３３は上記胴体１０の下部に配置され、上記胴体１０の第１側面部の反対側の第２側面部に突出できる。
【００３４】
上記第１キャビティー２５及び上記第２キャビティー３５の底形状は、矩形、正方形、または曲面を有する円または楕円形状でありうる。
【００３５】
上記凹部６０の底１６には連結フレーム４６が配置され、上記連結フレーム４６は上記第１リードフレーム２１と第２リードフレーム３１との間の領域に配置されたり、上記第１及び第２リードフレーム２１、３１と同一な間隔で離隔した領域に配置される。上記連結フレーム４６は中間連結端子として使われる。
【００３６】
上記第１リードフレーム２１、第２リードフレーム３１、及び連結フレーム４６は、金属材質、例えば、チタニウム（Ｔｉ）、銅（Ｃｕ）、ニッケル（Ｎｉ）、金（Ａｕ）、クロム（Ｃｒ）、タンタリウム（Ｔａ）、白金（Ｐｔ）、スズ（Ｓｎ）、銀（Ａｇ）、燐（Ｐ）のうち、少なくとも１つを含むことができ、単一金属層または多層金属層で形成される。上記第１及び第２リードフレーム２１、３１と連結フレーム４６の厚さは同一な厚さで形成され、これに対して限定するものではない。
【００３７】
上記第１リードフレーム２１の第１キャビティー２５の内には第１発光チップ７１が配置され、上記第２リードフレーム３１の第２キャビティー３５の内には第２発光チップ７２が配置される。
【００３８】
上記第１及び第２発光チップ７１、７２は可視光線帯域から紫外線帯域の範囲のうちから選択的に発光することができ、例えばレッドＬＥＤチップ、ブルーＬＥＤチップ、グリーンＬＥＤチップ、イエローグリーン（yellow green）ＬＥＤチップのうちから選択できる。上記第１及び第２発光チップ７１、７２はIII族−V族元素の化合物半導体発光素子を含む。
【００３９】
上記第１発光チップ７１は、第１ワイヤー７３により上記凹部６０の底１６に配置された第１リードフレーム２１と連結され、第２ワイヤー７４により上記連結フレーム４６と連結される。上記第２発光チップ７２は、第３ワイヤー７５により上記連結フレーム４６と連結され、第４ワイヤー７６により上記凹部６０の底１６に配置された第２リードフレーム３１と連結される。上記連結フレーム４６は、上記第１発光チップ７１と上記第２発光チップ７２とを電気的に連結する。
【００４０】
保護素子（図示せず）は、上記第１リードフレーム２１または上記第２リードフレーム３１の一部の上に配置される。上記保護素子は、サイリスター、ツエナーダイオード、またはＴＶＳ（Transient voltage suppression）で具現されることができ、上記ツエナーダイオードは上記発光チップをＥＳＤ（electro static discharge）から保護する。上記保護素子は、第１発光チップ７１及び第２発光チップ７２の連結回路に並列に連結することによって、上記発光チップ７１、７２を保護することができる。
【００４１】
上記凹部６０、第１キャビティー２５、及び上記第２キャビティー３５には、モールディング部材８１が形成される。上記モールディング部材８１は、シリコンまたはエポキシのような透光性樹脂層を含み、単層または多層で形成される。
【００４２】
上記モールディング部材８１は、上記発光チップ７１、７２の上に放出される光の波長を変換するための蛍光体を含むことができ、上記蛍光体は上記第１キャビティー２５及び上記第２キャビティー３５のうち、少なくとも一領域に添加されることができ、これに対して限定するものではない。上記蛍光体は、発光チップ７１、７２から放出される光の一部を励起させて他の波長の光にて放出するようになる。上記蛍光体は、ＹＡＧ、ＴＡＧ、シリケート（Silicate）、ナイトライド（Nitride）、オキシ−ナイトライド（Oxy-nitride）系物質のうちから選択的に形成される。上記蛍光体は、赤色蛍光体、黄色蛍光体、緑色蛍光体のうち、少なくとも１つを含むことができ、これに対して限定するものではない。上記モールディング部材８１の表面は、フラット形状、凹形状、凸形状などで形成され、これに対して限定するものではない。
【００４３】
上記モールディング部材８１の上面は光出射面になることができる。上記モールディング部材８１の上面の上には光学的制御手段９０が配置される。上記光学的制御手段９０の面積（または、幅）は、上記胴体１０の上面面積（または、幅）と同一な面積、またはより少ない面積で形成され、これに対して限定するものではない。
【００４４】
上記光学的制御手段９０は、上記発光素子１に近接または密着して配置されることによって、上記発光素子１から放出された光の指向角分布及び配光分布を効果的に調節することができる。また、光学的制御手段９０が上記発光素子１に密着することによって、上記発光素子１から放出された光の指向角分布、配光分布と光度を制御することができる。
【００４５】
上記光学的制御手段９０は、上記発光素子１の下面から４mm以下の間隔で配置され、このような間隔は上記発光素子１から放出された光の指向角分布と配光分布を考慮した値となる。また、上記光学的制御手段９０は上記発光素子１から２mm以下の間隔を有し、上記発光素子１から放出された光の入射を受けるようになる。また、上記光学的制御手段９０の構成要素は、上記発光チップ７１、７２から４mm以下の間隔で離隔できる。
【００４６】
上記発光素子１及び上記光学的制御手段９０は構造的な結合のための部材を含むことができ、上記構造的結合部材は上記発光素子１または上記光学的制御手段９０に形成された溝または突起構造を含むことができ、これに対して限定するものではない。
【００４７】
図２のように、上記光学的制御手段９０は、上記胴体１０の上面と上記モールディング部材８１の上面に接触されるか、接着剤で接着できる。上記光学的制御手段９０は、上記発光素子１と連動して動作することができる。例えば、上記発光素子１が動作して光を放出すれば、上記光学的制御手段９０はターン−オンされて上記発光素子１から放出された光の指向角分布を調節するようになる。上記発光素子１がオフされれば、上記光学的制御手段９０はターン−オフされる。
【００４８】
上記光学的制御手段９０は、図３のように、第１ベースフィルム９１、第２ベースフィルム９２、第１電極層９３、第２電極層９４、及び高分子層９５を含む。
【００４９】
上記第１及び第２ベースフィルム９１、９２は透光性フィルムであって、互いに所定間隔離隔して互いに平行に配置される。上記第１電極層９３は透光性材質で形成され、上記第１ベースフィルム９１と高分子層９５との間に配置される。上記第２電極層９４は透光性材質で形成され、上記高分子層９５と第２ベースフィルム９２との間に配置される。上記第１電極層９３と上記第２電極層９４は高分子層９５の間に対向するように配置される。上記第１及び第２電極層９３、９４はコーティング方式により上記第１及び第２ベースフィルム９１、９２の上に各々形成される。
【００５０】
上記第２ベースフィルム９２の一部は上記モールディング部材８１の上面と接触され、上記第１ベースフィルム９１の上には保護フィルムがさらに形成される。
【００５１】
上記第１及び第２電極層９３、９４は金属酸化物、または金属窒化物のような透明な伝導性高分子物質を含むことができる。上記第１及び第２電極層９３、９４は、例えばインジウムチンオキサイド（Induim Tin Oxide：ＩＴＯ）、ＩＺＯ（indium zinc oxide）、ＩＺＴＯ（indium zinc tin oxide）、ＩＡＺＯ（indium aluminum zinc oxide）、ＩＧＺＯ（indium gallium zinc oxide）、ＩＧＴＯ（indium gallium tin oxide）、ＡＺＯ（aluminum zinc oxide）、ＡＴＯ（antimony tin oxide）、ＧＺＯ（gallium zinc oxide）のうち、少なくとも１つを含むことができる。また、上記第１及び第２電極層９３、９４は透明な伝導性高分子物質を含むことができる。
【００５２】
上記第１電極層９３は、第１駆動電圧生成部９３Ａにより生成された第１駆動電圧（Ｖ１）の供給を受けて、上記第２電極層９４は第２駆動電圧生成部９４Ａにより生成された第２駆動電圧（Ｖ２）の供給を受けるようになる。
【００５３】
上記供給される第１及び第２駆動電圧（Ｖ１、Ｖ２）によって上記第１及び第２電極層９３、９４の間に電界が形成されれば、上記光学的制御手段９０はターン−オンされ、上記第１及び第２駆動電圧（Ｖ１、Ｖ２）の電位差によって光指向角を調節できるようになる。上記光学的制御手段９０に上記駆動電圧（Ｖ１、Ｖ２）が印加されなければ、上記光学的制御手段９０はターン−オフされる。
【００５４】
上記高分子層９５は上記第１及び第２電極層９３、９４の間に介されて、その内部に液晶９６が分散された構造を有する。上記高分子層９５に分散された液晶９６は光学的制御手段９０の第１及び第２駆動電圧（Ｖ１、Ｖ２）によって入射された光を透過または散乱させる。上記液晶９６は長軸と短軸方向の誘電率が異なるポジティブまたはネガティブ液晶からなることができる。上記高分子層９５は、上記液晶９６の正常（ordinary）屈折率（refractive index）または異常（extra-ordinary）屈折率（refractive index）と同一な屈折率を有する。
【００５５】
上記高分子層９５は、上記第１電極層９３に供給される第１駆動電圧と上記第２電極層９４に供給される第２駆動電圧との差によって上記発光素子１から放出された光の指向角を調節する。
【００５６】
上記高分子層９５の幅は上記発光素子１または上記胴体１０の幅と等しいか異なることがある。ここで、上記高分子層９５の幅は上記発光素子１または上記胴体１０の幅に比べて９０％〜１５０％範囲の幅で形成される。また、上記第１及び第２電極層９３、９４の幅は上記発光素子１または上記胴体１０の幅の９０％〜１５０％範囲で形成される。上記高分子層９５の下面の面積は上記発光素子１または上記胴体１０の下面の面積に比べて９０％〜１５０％範囲の幅で形成される。また、上記第１及び第２電極層９３、９４の下面の面積は上記発光素子１または上記胴体１０の下面の面積の９０％〜１５０％範囲で形成される。
【００５７】
上記液晶９６が分散された上記高分子層９５は、次のような方法により形成される。第１の方法は、溶媒を用いてポリマーと液晶とを混合させた後、混合された溶液から溶媒を除去して液晶が分散された高分子層９５を形成するものである。第２の方法は、液状のポリマー（または、モノマー）に液晶を混合させた後、混合された溶液にＵＶ（ultraviolet）を照射してポリマー（または、モノマー）を硬化させて高分子層９５を形成するものである。液晶９６が分散された高分子層９５を形成する方法はこれに限定されるものではない。上記高分子層９５の厚さは３μm乃至５０μmで形成され、これに対して限定するものではない。上記高分子層９５には０．１５乃至０．２５の屈折率異方性を有する液晶９６が含まれる。即ち、上記液晶９６の光散乱性は屈折率異方性が増加するほど増加することができる。上記高分子層９５の周りには上記液晶９６の漏洩を防止するためにシーリング部材が配置され、これに対して限定するものではない。
【００５８】
上記光源モジュール１００は、上記光学的制御手段９０によって第１指向角モードまたは第２指向角モードで動作する。一方、上記光学的制御手段９０がターン−オフされれば、上記光学的制御手段９０は入射された光を遮断させる遮断モードで動作する。
【００５９】
このように、光学的制御手段９０をターン−オンまたはターン−オフさせることによって、光の透過または遮断を制御し、ターン−オンモード時、上記光学的制御手段９０に供給される第１駆動電圧（Ｖ１）と第２駆動電圧（Ｖ２）との差によって第１指向角モードまたは第２指向角モードで光出力を制御するようになる。上記第１指向角モードは狭指向角モードであり、上記第２指向角モードは広指向角モードで動作するようになる。即ち、第１駆動電圧（Ｖ１）と第２駆動電圧（Ｖ２）との差によって狭指向角モードと広指向角モードに転換できる。上記第１指向角モードは１３０度以下の指向角分布で出力され、第２指向角モードは１４０度以上の指向角分布で出力される。即ち、上記光学的制御手段９０は、上記入力駆動電圧（Ｖ１、Ｖ２）によって１０度以上の指向角差を有する光を出力するようになる。即ち、上記液晶９６を有する高分子層９５は、上記第１及び第２電極層９３、９４に供給される駆動電圧の差によって１３０度以下の光指向角分布、または１４０度以上の光指向角分布で出力するようになる。
【００６０】
図３に示すように、第１及び第２駆動電圧（Ｖ１、Ｖ２）が上記光学的制御手段９０に印加されなければ、高分子層９５の液晶９６は水平方向に配向されて入射された光を遮断するようになる。この際、光源モジュール１００はブラックモードで駆動できる。
【００６１】
図４に示すように、第１及び第２駆動電圧（Ｖ１、Ｖ２）が上記光学制御手段９０に印加され、上記第１及び第２駆動電圧（Ｖ１、Ｖ２）は上記第１駆動電圧を基準に３０％乃至７０％位の差を供給することができ、この際、上記高分子層９５の液晶９６は斜線方向または傾斜した方向に、例えば３０度乃至７０度の角度に配向されて入射された光を散乱させるようになる。これは、図６の（Ｂ）のように、上記光学的制御手段９０は入射された光を散乱させるようになり、１４０度以上の指向角分布で発光するようになる。即ち、上記光源モジュールは１４０度以上の指向角分布で光（Ｌ１）を照射するようになる。
【００６２】
図５に示すように、第１及び第２駆動電圧（Ｖ１、Ｖ２）が上記光学的制御手段９０に印加されて第１駆動電圧（Ｖ１）と上記第２駆動電圧（Ｖ２）との差が最大であれば、高分子層９５の液晶９６は垂直方向に配向されて光を透過させる。これは、図６の（Ａ）のように、光源モジュールの光学的制御手段９０は入射された光を透過させるので、１３０度以下の指向角分布で光（Ｌ２）を発光するようになる。即ち、上記光源モジュールは１３０度以下の指向角分布で光（Ｌ２）を照射するようになる。上記第１駆動電圧（Ｖ１）と上記第２駆動電圧（Ｖ２）との差が最大の場合は、上記第１駆動電圧（Ｖ１）を基準に７０％超過し、１００％以下の範囲を含む。
【００６３】
実施形態に従う光学的制御手段９０は発光素子１から拡散されない光を入力電圧（Ｖ１、Ｖ２）の差によって狭指向角モードまたは広指向角モードに選択的に出力することができる。このような光学的制御手段９０を有する光源モジュールは高仕様のランプに適用できる。
【００６４】
他の例として、上記光学的制御手段９０は圧電素子を含むことができる。上記圧電素子は上記胴体１０の上に配置された圧電エレメント及び上記モールディング部材８１の上に伝導性流体を含み、上記伝導性流体は上記圧電エレメントに供給される電圧差によって上記伝導性流体が上方に凸な曲率を変化させるか、凹な曲率に変換されて、上記モールディング部材８１から透光される光の指向角を調節することができる。
【００６５】
図７は、図２の光源モジュールの第１変形例を示す図である。図７を説明するに当たって、第１実施形態の構成要素と同一な部分は第１実施形態の説明を参照することにする。
【００６６】
図７を参照すると、発光素子は胴体１０の凹部６０の内に配置されたモールディング部材８１Ａと光学的制御手段９０との間に拡散層８３を含む。上記モールディング部材８１Ａは上面が凹なレンズ形態を有し、上記光学的制御手段９０の下面と所定のギャップを有するようになる。
【００６７】
上記モールディング部材８１Ａは蛍光体のような不純物が添加され、これに対して限定するものではない。
【００６８】
上記拡散層８３は空いている空間、または拡散剤を有する樹脂層で形成され、上記発光チップ７１、７２から放出された光を拡散させることができる。
【００６９】
上記拡散層８３は光学的制御手段９０に入射される光を拡散させるようになるので、上記光学的制御手段９０により放出される光の色度分布は改善できる。
【００７０】
図８は、図２の光源モジュールの第１変形例を示す図である。図８を説明するに当たって、第１実施形態の構成要素と同一な部分は第１実施形態の説明を参照することにする。
【００７１】
図８を参照すると、発光素子は第１及び第２発光チップ７１、７２の上に第１及び第２蛍光体層５１、５２が付着される。上記第１及び第２蛍光体層５１、５２の下面は上記第１及び第２発光チップ７１、７２の上面の面積と等しいか小さい面積で形成される。上記蛍光体層５１、５２は上記第１及び第２発光チップ７１、７２の側面にさらに延びることができ、これに対して限定するものではない。
【００７２】
上記第１及び第２蛍光体層５１、５２は、赤色蛍光体、青色蛍光体、黄色蛍光体、緑色蛍光体のうちの少なくとも１つを含み、互いに同一な蛍光体または互いに異なる蛍光体を含むことができる。
【００７３】
上記蛍光体層５１、５２は、上記第１及び第２発光チップ７１、７２から１〜１００μm範囲の厚さで形成され、これに対して限定するものではない。
【００７４】
これによって、胴体１０の凹部６０の内に配置されたモールディング部材８１Ｂには蛍光体が添加されないことがあり、上記第１及び第２蛍光体層５１、５２に添加された蛍光体と異なる蛍光体、例えば、青色または赤色蛍光体が添加され、これに対して限定するものではない。上記凹部６０には上記モールディング部材８１Ｂが形成されないことがある。
【００７５】
図９は本発明の第２実施形態に従う光源モジュールを示す分解斜視図であり、図１０は図７の光源モジュールの結合斜視図である。第２実施形態を説明するに当たって、第１実施形態と同一な部分は第１実施形態を参照することにする。
【００７６】
図９及び図１０を参照すると、発光素子は胴体１０の上面１４の周りに複数のガイド部１５を含み、上記複数のガイド部１５は上記胴体１０から突出されたり、上記胴体１０の材質と同一な材質または異なる材質で形成される。
【００７７】
上記複数のガイド部１５は上記胴体１０の上端コーナーに突出され、光学的制御手段９０の周りを支持するようになる。上記光学的制御手段９０は上記ガイド部１５に対応する結合部９２を具備するようになり、上記結合部９２は上記光学的制御手段９０の隅部分がカッティングされた面を含む。
【００７８】
上記光学的制御手段９０が上記胴体１０の上に積層されれば、上記ガイド部１５は上記光学的制御手段９０の結合部９２をガイドし、支持するようになる。これによって、上記光学的制御手段９０は上記ガイド部１５によりチルトされることを防止することができ、光学的制御手段９０の結合または分離が容易であるという効果がある。
【００７９】
上記ガイド部１５の厚さは上記光学的制御手段９０の厚さと同一であり、上記光学的制御手段９０の厚さより薄いか厚いことがある。
【００８０】
図１１は本発明の第３実施形態に従う光源モジュールを示す分解斜視図であり、図１２は図１１の光源モジュールの結合斜視図である。第３実施形態を説明するに当たって、第１実施形態と同一な部分は第１実施形態を参照することにする。
【００８１】
図１１及び図１２を参照すると、発光素子は胴体１０の上部に収納溝１６Ａを含み、上記収納溝１６Ａは上記胴体１０の凹部１５の周りに沿って配置され、上記胴体１０の上面より低い高さに段差付ける。
【００８２】
上記収納溝１６Ａの一部にはコネクター溝１７が形成され、上記コネクター溝１７は上記胴体１０の一側面が開放された構造で形成される。
【００８３】
上記収納溝１６Ａには上記光学的制御手段９０が収納され、上記コネクター溝１７には上記光学的制御手段９０に連結されたコネクター９４が連結される。上記コネクター９４は外部から流入する複数のワイヤー９５に連結される。
【００８４】
図１３は本発明の第４実施形態に従う光源モジュールを示す図である。
【００８５】
図１３を参照すると、光源モジュール１０１は、発光素子２及び上記発光素子２の上に光学的制御手段９０Ａを含む。
【００８６】
上記発光素子２は、胴体１３１、上記胴体１３１に設置された第１リードフレーム１１２及び第２リードフレーム１１３、モールディング部材１４１、及び発光チップ１２１を含む。
【００８７】
上記胴体１３１は高反射樹脂系列（例；ＰＰＡ）、ポリマー系列、プラスチック系列のうちから選択的に射出成形されるか、単層または多層の基板の積層構造で形成される。上記胴体１３１は、エポキシ、シリコンなどの樹脂材質の内に反射材質が添加され、これに対して限定するものではない。上記胴体１３１は上部が開放されたキャビティー１３５を含み、上記キャビティー１３５の周り面は傾斜したり、キャビティー底面に対して垂直に形成される。
【００８８】
上記キャビティー１３５の底には第１リードフレーム１１２及び第２リードフレーム１１３が配置され、上記第１リードフレーム１１２及び第２リードフレーム１１３は互いに離隔する。
【００８９】
上記第１リードフレーム１１２及び第２リードフレーム１１３のうち、少なくとも１つの上に発光チップ１２１が配置され、第１リードフレーム１１２と第２リードフレーム１１３にワイヤー１３６により連結される。
【００９０】
上記キャビティー１３５の内にはモールディング部材１４１が形成され、上記モールディング部材１４１はシリコンまたはエポキシのような透光性樹脂材質で形成され、蛍光体を含むことができる。
【００９１】
上記第１リードフレーム１１２と第２リードフレーム１１３を通じて電源が供給されれば、上記発光チップ１２１の上面及び側面を通じて大部分の光が抽出され、上記抽出された光は上記モールディング部材１４１を通じて外部に放出できる。この際、上記光学的制御手段９０Ａは上記発光素子２の胴体１３１と上記モールディング部材１４１の上に配置され、上記モールディング部材１４１を透過した光の指向角を調節するようになる。このような光学的制御手段９０Ａの構成に対しては第１実施形態の光学的制御手段を参照することにし、その詳細な説明は省略する。
【００９２】
実施形態に従う光源モジュールは照明システムに適用できる。上記照明システムは複数の光源モジュールがアレイされた構造を含み、照明灯、信号灯、車両前照灯、電光板などが含まれる。
【００９３】
図１４は図１の光源モジュールを有する表示装置を示す斜視図であり、図１５は図１の光源モジュールを有する照明装置を示す図である。
【００９４】
図１４は、本発明の実施形態に従う表示装置の分解斜視図である。
【００９５】
図１４を参照すると、表示装置１０００は、導光板１０４１、上記導光板１０４１に光を提供する発光モジュール１０３１、上記導光板１０４１の下に反射部材１０２２、上記導光板１０４１の上に光学シート１０５１、上記光学シート１０５１の上に表示パネル１０６１、上記導光板１０４１、及び発光モジュール１０３１及び反射部材１０２２を収納するボトムカバー１０１１を含むことができるが、これに限定されるものではない。
【００９６】
上記ボトムカバー１０１１、発光モジュール１０３１、反射部材１０２２、導光板１０４１、及び光学シート１０５１は、ライトユニット１０５０として定義される。
【００９７】
上記導光板１０４１は、上記発光モジュール１０３１から提供された光を拡散させて面光源化させる役割をする。上記導光板１０４１は透明な材質からなり、例えば、ＰＭＭＡ（polymethyl metaacrylate）のようなアクリル樹脂系列、ＰＥＴ（polyethylene terephthlate）、ＰＣ（poly carbonate）、ＣＯＣ（cycloolefin copolymer）、及びＰＥＮ（polyethylene naphthalate）樹脂のうちの１つを含むことができる。
【００９８】
上記発光モジュール１０３１は上記導光板１０４１の少なくとも一側面に配置されて上記導光板１０４１の少なくとも一側面に光を提供し、究極的には表示パネル１０６１の光源として作用するようになる。
【００９９】
上記発光モジュール１０３１は上記ボトムカバー１０１１の内に少なくとも１つが配置され、上記導光板１０４１の一側面から直接または間接的に光を提供することができる。上記発光モジュール１０３１は、上記基板１０３３と上記に開示された実施形態に従う複数の光源モジュール１００を含み、上記光源モジュール１００は、上記基板１０３３の上に所定間隔でアレイできる。上記基板１０３３は、上面及び下面のうち、少なくとも１つに電極パッドを有する回路パターンを含み、その材質は樹脂系の印刷回路基板（printed circuit board）、メタルコアＰＣＢ（ＭＣＰＣＢ；Metal Core PCB）、軟性ＰＣＢ（ＦＰＣＢ；Flexible PCB）を含むこともでき、これに対して限定するものではない。上記光源モジュール１００は、上記ボトムカバー１０１１の側面または放熱プレートの上に搭載される場合、上記基板１０３３は除去できる。上記放熱プレートの一部は上記ボトムカバー１０１１の上面に接触できる。したがって、光源モジュール１００で発生した熱は放熱プレートを経由してボトムカバー１０１１に放出できる。
【０１００】
上記光源モジュール１００は、上記基板１０３３の上に光が放出される出射面が上記導光板１０４１と所定距離離隔するように搭載され、これに対して限定するものではない。上記光源モジュール１００は、上記導光板１０４１の一側面である入光部に光を直接または間接的に提供することができ、これに対して限定するものではない。
【０１０１】
上記光源モジュール１００から放出された光は導光板１０４１に入射できる。上記光源モジュール１００のうち、導光板１０４１の最外郭部に対応するように配置された光源モジュールは、図５のように光学的制御手段９０を狭指向角モードで動作させて光漏れ不良を防止させることができ、上記導光板１０４１の最外郭部を除外した領域に対応するように配置された光源モジュールは、図４のように光学的制御手段９０を広指向角モードで動作させることができる。即ち、実施形態は導光板１０４１の入光部に配置された互いに異なる光源モジュール１００の光学的制御手段９０の駆動電圧の差を調節して、互いに異なる指向角分布を有する光を出力するようにすることができる。
【０１０２】
上記導光板１０４１は、光源モジュール１００から入射された光を面光源化して出力するようになる。
【０１０３】
上記導光板１０４１の下には上記反射部材１０２２が配置される。上記反射部材１０２２は、上記導光板１０４１の下面に入射された光を反射させて上記表示パネル１０６１に供給することによって、上記表示パネル１０６１の輝度を向上させることができる。上記反射部材１０２２は、例えば、ＰＥＴ、ＰＣ、ＰＶＣレジンなどで形成されるが、これに対して限定するものではない。上記反射部材１０２２は、上記ボトムカバー１０１１の上面であることがあり、これに対して限定するものではない。
【０１０４】
上記ボトムカバー１０１１は収納部１０１２を含み、上記収納部１０１２は少なくとも上部が開放され、内部に上記導光板１０４１、発光モジュール１０３１、及び反射部材１０２２が収納できる。上記ボトムカバー１０１１は、トップカバー（図示せず）と結合され、これに対して限定するものではない。
【０１０５】
上記ボトムカバー１０１１は金属材質または樹脂材質で形成され、プレス成形または圧出成形などの工程を用いて製造できる。また、上記ボトムカバー１０１１は熱伝導性の良い金属または非金属材料を含むことができ、これに対して限定するものではない。
【０１０６】
上記表示パネル１０６１は、例えばＬＣＤパネルであって、互いに対向する透明な材質の第１及び第２基板、そして第１及び第２基板の間に介された液晶層を含む。上記表示パネル１０６１の少なくとも一面には偏光板が付着され、このような偏光板の付着構造に限定するものではない。上記表示パネル１０６１は、上記発光モジュール１０３１から提供された光を透過または遮断させて情報を表示するようになる。このような表示装置１０００は、各種携帯端末機、ノートブックコンピュータのモニタ、ラップトップコンピュータのモニタ、テレビなどの映像表示装置に適用できる。
【０１０７】
上記光学シート１０５１は上記表示パネル１０６１と上記導光板１０４１との間に配置され、少なくとも一枚以上の透光性シートを含む。上記光学シート１０５１は、例えば拡散シート（diffusion sheet）、水平及び垂直プリズムシート（horizontal/vertical prism sheet）、及び輝度強化シート（brightness enhanced sheet）などのシートのうち、少なくとも１つを含むことができる。上記拡散シートは入射される光を拡散させ、上記水平または／及び垂直プリズムシートは入射される光を上記表示パネル１０６１に集光させ、上記輝度強化シートは損失される光を再使用して輝度を向上させる。また、上記表示パネル１０６１の上には保護シートが配置され、これに対して限定するものではない。
【０１０８】
上記発光モジュール１０３１の光経路の上には光学部材として、上記導光板１０４１、及び光学シート１０５１を含むことができ、これに対して限定するものではない。
【０１０９】
図１５は、図１の光源モジュールを有する照明装置の斜視図である。
【０１１０】
図１５を参照すると、照明装置１５００は、ケース１５１０、上記ケース１５１０に設置された発光モジュール１５３０、及び上記ケース１５１０に設けられ、外部電源から電源の提供を受ける連結端子１５２０を含むことができる。
【０１１１】
上記ケース１５１０は放熱特性が良好な材質で形成されることが好ましく、例えば金属材質または樹脂材質で形成される。
【０１１２】
上記発光モジュール１５３０は、基板１５３２及び上記基板１５３２に搭載される実施形態に従う光源モジュール１００を含むことができる。上記光源モジュール１００は、複数個がマトリックス形態または所定間隔で離隔してアレイされる。例えば、光源モジュール１００のうち、基板１５３２の最外郭部に配置されたモジュールは、図５のような光学的制御手段９０により狭指向角モードで駆動させ、上記基板１５３２のセンター領域に配置されたモジュールは、図４のような光学的制御手段９０により広指向角モードで駆動させることができる。また、光源モジュール１００は光学的制御手段により狭指向角モードまたは広指向角モードのように同一なモードで駆動できる。
【０１１３】
上記基板１５３２は絶縁体に回路パターンが印刷されたものであることがあり、例えば一般の印刷回路基板（ＰＣＢ：Printed Circuit Board）、メタルコア（Metal Core）ＰＣＢ、軟性（Flexible）ＰＣＢ、セラミックＰＣＢ、ＦＲ−４基板などを含むことができる。
【０１１４】
また、上記基板１５３２は光を効率的に反射する材質で形成されるか、表面の光が効率的に反射されるカラー、例えば、白色、銀色などのコーティング層になることができる。
【０１１５】
上記基板１５３２の上には少なくとも１つの光源モジュール１００が搭載される。上記光源モジュール１００の各々は少なくとも１つのＬＥＤ（Light Emitting Diode）チップを含むことができる。上記ＬＥＤチップは、赤色、緑色、青色、または白色などの可視光線帯域の発光ダイオード、または紫外線（ＵＶ；Ultra Violet）を発光するＵＶ発光ダイオードを含むことができる。
【０１１６】
上記発光モジュール１５３０は色感及び輝度を得るために多様な発光素子パッケージの組合を有するように配置される。例えば、高演色性（ＣＲＩ）を確保するために、白色発光ダイオード、赤色発光ダイオード、及び緑色発光ダイオードを組み合わせて配置することができる。
【０１１７】
上記連結端子１５２０は、上記発光モジュール１５３０と電気的に連結されて電源を供給することができる。上記連結端子１５２０はソケット方式により外部電源に螺合して結合されるが、これに対して限定するものではない。例えば、上記連結端子１５２０はピン（pin）形態に形成されて外部電源に挿入されるか、配線により外部電源に連結されることもできる。
【０１１８】
図１６は、本発明の実施形態に従う光学的制御手段を有する表示装置を示す図である。
【０１１９】
図１６を参照すると、表示装置１１００は、ボトムカバー１１５２、上記に開示された発光素子２００がアレイされた基板１１２０、上記基板１１２０の上に光学的制御手段９０Ｂ、光学シート１１５４、及び表示パネル１１５５を含む。
【０１２０】
上記発光素子２００は、図２または図９のように発光チップがパッケージングされた発光素子、または発光チップで具現されることができ、これに対して限定するものではない。
【０１２１】
上記基板１１２０と上記発光素子２００は、発光モジュール１１６０として定義できる。上記ボトムカバー１１５２、光学的制御手段９０Ｂ、少なくとも１つの発光モジュール１１６０、及び光学シート１１５４は、ライトユニット１１５０として定義できる。上記基板１１２０の各々には複数の発光素子２００が１列または２列以上に配列できる。
【０１２２】
上記光学的制御手段９０Ｂと上記基板１１２０との間には複数のサポーター９８を含み、上記複数のサポーター９８は上記基板１１２０の上に複数個が形成され、上記光学的制御手段９０Ｂの下を支持し、上記発光素子２００から放出された光を反射させる。上記光学的制御手段９０Ｂは図３のように構成され、供給される駆動電圧の差によって狭指向角または広指向角に動作するようになる。上記光学的制御手段９０Ｂが広指向角として動作する場合、入射される光を面光源として出力するようになるので、発光素子２００の間のピッチを抑えて、全体個数を減らすことができる。また、上記光学的制御手段９０Ｂと光学シート１１５４との間の距離を減らすことができるので、スリム化した表示装置１１００を提供することができる。
【０１２３】
上記ボトムカバー１１５２は収納部１１５３を具備することができ、上記収納部１１５３の底には複数の発光モジュール１１６０が配列され、これに対して限定するものではない。
【０１２４】
上記光学シート１１５４は、レンズ、導光板、拡散シート、水平及び垂直プリズムシート、及び輝度強化シートなどのうち、少なくとも１つを含むことができる。上記導光板はＰＣ材質またはＰＭＭＡ（Poly methy methacrylate）材質からなることができ、このような導光板は除去できる。上記拡散シートは入射される光を拡散させ、上記水平及び垂直プリズムシートは入射される光を上記表示パネル１１５５に集光させ、上記輝度強化シートは損失される光を再使用して輝度を向上させる。
【０１２５】
上記光学シート１１５４は上記発光モジュール１１６０の上に配置され、上記発光モジュール１１６０から放出された光を面光源化したり、拡散、集光などを遂行するようになる。
【０１２６】
以上、説明した本発明は前述した実施形態及び添付した図面に限定されるものでなく、本発明の技術的思想から外れない範囲内で多様な置換、変形、及び変更が可能であるということが本発明が属する技術分野で従来の知識を有する者に当たって明らかである。したがって、本発明の技術的範囲は明細書の詳細な説明に記載された内容に限定されるものでなく、特許請求の範囲により定まるべきである。
【符号の説明】
【０１２７】
１、２、２００    発光素子
６０    凹部
１０、１３１    胴体
２５、３５、１３５    キャビティー
２１、３１、１１２、１１３    リードフレーム
４６    連結フレーム
７１、７２    発光チップ
９０、９０Ａ、９０Ｂ    光学的制御手段
９８    サポーター
１００、１０１    光源モジュール
１１２０、１０３３    基板
１０３１、１１６０    発光モジュール
【図１】
2013093583.tif 000003
【図２】
2013093583.tif 000004
【図３】
2013093583.tif 000005
【図４】
2013093583.tif 000006
【図５】
2013093583.tif 000007
【図６】
2013093583.tif 000008
【図７】
2013093583.tif 000009
【図８】
2013093583.tif 000010
【図９】
2013093583.tif 000011
【図１０】
2013093583.tif 000012
【図１１】
2013093583.tif 000013
【図１２】
2013093583.tif 000014
【図１３】
2013093583.tif 000015
【図１４】
2013093583.tif 000016
【図１５】
2013093583.tif 000017
【図１６】
2013093583.tif 000018